(57)【要約】【課題】  大規模な避難施設によらず各個人の命を有効に護ることのできる簡易救命浮きを提供すること。【解決手段】  簡易救命浮きであり、四角形状で透水質の生地により袋状に形成されるとともにその内部には少なくとも所要数の浮力体が外部に出ない状態で入れられて常備するときは折り畳み状態に非常時には展開状態に変換可能に構成されたものである。また、他の簡易救命浮きの１つとして、四角形状で透水質の生地により一定の幅で長手方向が長くなって避難者を載せ得る大きさの袋状に形成されるとともにその内部には少なくとも所要数の浮力体が外部に出ない状態で入れられて小さく折り畳み状態と広い展開状態とに変換可能に構成されており必要に応じて骨材として挿入材を差し込むこともできて担架として利用可能になっている。【選択図】  図１
2004351198.tif 000002
【特許請求の範囲】
【請求項１】
四角形状で透水質の生地により袋状に形成されるとともにその内部には少なくとも所要数の浮力体が外部に出ない状態で入れられて常備するときは折り畳み状態に非常時には展開状態に変換可能に構成された簡易救命浮き。
【請求項２】
四角形状で透水質の生地により一定の幅で長手方向が長くなって避難者を載せ得る大きさの袋状に形成されるとともにその内部には少なくとも所要数の浮力体が外部に出ない状態で入れられて小さく折り畳み状態と広い展開状態とに変換可能に構成されており必要に応じて骨材として挿入材を差し込むこともできて担架として利用可能になっている簡易救命浮き。
【請求項３】
四角形状で透水質の生地により袋状に形成されるとともにその内部には少なくとも所要数の浮力体が外部に出ない状態で入れられかつ袋材の一端両脇には掛け環が設けられるとともに他端には縛り紐が設けられていて掛け環を肩回りに掛け回すようにして袋材を背負う格好とし縛り紐で同袋を避難者の身体前で縛るようにすることのできる簡易救命浮き。
【請求項４】
請求項３記載のものにおいて、袋材の一端側にはヘルメットが付帯装備されて袋材を背負った状態で同時に被り得るようになっている簡易救命浮き。
【請求項５】
四角形状で透水質の生地により袋状に形成されるとともにその内部には少なくとも所要数の浮力体が外部に出ない状態で入れられかつ袋材の所定個所には通し穴が開けられてこの穴を避難者の身体の一部回りに通すようにして浮きとして使用可能とした簡易救命浮き。
【請求項６】
道路脇のガイドレールに脱着可能に配備され得るようになっている簡易救命浮き。
【発明の詳細な説明】
【技術分野】
【０００１】  この発明は、津波・洪水等の非常事態に使用される簡易救命浮きに関する。
【背景技術】
【０００２】  古来から巨大地震が発生すると当然のように津波（非常事態の１つ）が発生し、この津波は海岸線から押し寄せて大勢の人や民家などを呑み込み甚大な被害を与えてきたことはよく知られている。
【発明の開示】
【発明が解決しようとする課題】
【０００３】  しかし、これまでは、大規模な堤防や水門を造って津波に対処するだけで、有効な津波対策は講じられていなかったのが現状である。
【課題を解決するための手段】
【０００４】この発明は前記課題を解決するためになされたもので、請求項１記載の発明は、四角形状で透水質の生地により袋状に形成されるとともにその内部には少なくとも所要数の浮力体が外部に出ない状態で入れられて常備するときは折り畳み状態に非常時には展開状態に変換可能に構成された簡易救命浮きである。
請求項２記載の発明は、四角形状で透水質の生地により一定の幅で長手方向が長くなって避難者を載せ得る大きさの袋状に形成されるとともにその内部には少なくとも所要数の浮力体が外部に出ない状態で入れられて小さく折り畳み状態と広い展開状態とに変換可能に構成されており必要に応じて骨材として挿入材を差し込むこともできて担架として利用可能になっている簡易救命浮きである。
請求項３記載の発明は、四角形状で透水質の生地により袋状に形成されるとともにその内部には少なくとも所要数の浮力体が外部に出ない状態で入れられかつ袋材の一端両脇には掛け環が設けられるとともに他端には縛り紐が設けられていて掛け環を肩回りに掛け回すようにして袋材を背負う格好とし縛り紐で同袋を避難者の身体前で縛るようにすることのできる簡易救命浮きである。
請求項４記載の発明は、請求項３記載のものにおいて、袋材の一端側にはヘルメットが付帯装備されて袋材を背負った状態で同時に被り得るようになっている簡易救命浮きである。
請求項５記載の発明は、四角形状で透水質の生地により袋状に形成されるとともにその内部には少なくとも所要数の浮力体が外部に出ない状態で入れられかつ袋材の所定個所には通し穴が開けられてこの穴を避難者の身体の一部回りに通すようにして浮きとして使用可能とした簡易救命浮きである。
請求項６記載の発明は、道路脇のガイドレールに脱着可能に配備され得るようになっている簡易救命浮きである。
【発明の効果】
【０００５】  この発明の簡易救命浮きによれば、大規模な避難施設によらず各個人の命を安価にして有効に護ることのできる簡易救命浮きを提供することができる。
【発明を実施するための最良の形態】
【０００６】  以下、図示した各実施形態を参照してこの発明を詳細に説明するが、各実施形態において個々に説明される案は、当該案を含む実施形態以外の他の実施形態にも適用され得るものとする。【０００７】  以下は津波災害から人を護るための種々方式を示し、図１および図２は、四角形で透水質の簡易救命浮き６５で、生地が樹脂製ネットでなる袋（土嚢袋や布袋のようなものでもよい）６６を備え、同袋６６が、４隅に金具による孔６７…を備えるとともに、縦向き両サイドに添って表裏を編み付けるための補縫い６８を施してある。また、袋６６の両端あるいは一端には開口とされてファスナー６９により開閉自在とされている。また、７０は袋両端の把持部である。さらに、前記実施形態での各種部材は選択的に蛍光質にすることができる。【０００８】  この袋６６の一側各コーナーには、孔６７を利用してマグネットＭが取り付けられ、折り畳んだ際に相互に吸着するようになっている。
この袋６６内には、ペットボトル７１や発泡樹脂のような浮力体が入れられて浮くようにされるとともに、救急医療品７２や非常食料品７３、救助道具や貴重品７４などが完全防水のもとに入れられる。そして、図２に示すように、袋６６はファスナー６９を閉めて２つ折りにしてマグネットＭにより保持するとともに、一般家庭の室内に１あるいは複数本突設した掛止突片７５に引っ掛けるようにして常備するようにする。７６はヘルメットで、折り畳んだ救命浮き６５の間に挟持されて入れられ、同浮き６５を突片７５から外して開くと同時に同ヘルメット７６を取り出し頭に装着できるようになっている。【０００９】  この簡易救命浮き６５は、地震の時にしようできることは勿論、浮きとして津波や洪水の時にも使用できる。津波などの時には、浮き６５を突片７５から外して開いてまずヘルメット７６を被り、そののち、浮き６５として使用する。この際、同浮き６５を抱持する他、乗り掛かることもできる。さらに、体の回りにこの浮き６５を巻き回してのち、図１の結び紐（あるいはベルト７８でもよい）７７，７７を使用して体の前側で結ぶようにして浮き全体を装着する。尚、ネット袋６６に代えて、水密式ファスナーを備えたビニールなどの水および空気が通過しない袋でそれ自体が浮きとなるようにしてもよい。前記実施形態および以下の各種部材は全てあるいは選択的に蛍光質のものにすることができる。【００１０】  図３は、縫い部８０により表裏間に長い袋状の通し部８１を左右一対配して口部８２から長い棒あるいはパイプ状の挿入材８３を入れて骨材とし、これにより、一定幅で避難者を載せ得る長さにした四角形状をした長いネット袋８４を担架にすることができるようにしたもので、勿論、ネット袋８４は、両端あるいは一端にファスナー８５を備えて中に前記のようなペットボトルなど各種用品を入れることができるようにしたものである。このネット袋８４は、回りに抜け止め８６…を有する把持部８７を備えて担架としての機能を発揮するようにする。一方、浮きとしても機能するから、その時は、浮き担架となるとともに把持部８７を掴んで多くの人が救助される。尚、前記挿入材８３自体が浮力を発生するものにすることができるし、ゴム棒やパイプにすることもできる。挿入材８３は長い１本ものであったが、２本や３本などに分けることもできる。前記ネットの他、前記のように布などを使用することができる。【００１１】  図４は、陸上での担架として水上での担架としていずれでも使用できるものである。本体９０はネット袋の長いもので、両端にファスナー９１を有して縫い部９２により中に浮力体９３…を入れて浮力を発生できるものになっている。本体９０の長手方向中間にもファスナー９１があってそれを開くことで前記種々の用品９４を入れることができる。特徴的なところは、ジョイント９５により連結された挿入材９６を左右一対入れて折れ曲がった状態にすることで図のように体の不自由な人を乗せたりすることができる。そして、回りの把持部９７…を持ち上げることで担架のようにして移動できるようになっている。ジョイント９５は、右欄図のように挿入材９６を互いが真っ直ぐな関係にして挿入することができるようにしたり、あるいは互いが曲がった状態になるように挿入することもできる。挿入材９６を角棒とし、ジョイント９５の孔も角型にすると回らないので都合がよい。尚、仮想線のように、下端にローラーを付けた脚材９８をも挿入できるようにすれば運搬に有利である。また、９９は自動ロック解除装置である。【００１２】  図５は、挿入材を芯材１０２とその回りの浮力体１０３とで構成したもので、浮力体１０３は発泡樹脂などであり、右図のように球形にしてもよい。こうした挿入材を前記のものに挿入すれば浮力が大きく得られるし、担架に乗る人が当っても衝撃がなくなる。【００１３】  図６は、四角形状の袋１０６内にペットボトル１０７や発泡樹脂１０８などの浮力体および必要な用品１０９を入れてファスナー１１０で閉止可能とされたもので、特に、上部一端両脇に備えた掛け環１１１により図７のように背負うことができ、下部の左右の縛り紐１１２を身体前で縛ることで、津波や洪水時に袋１０６が浮かずしかも体から外れないようにしたものである。図６の仮想線のように、Ｘ形に張った掛け材１１３により背負うようにしてもよい。【００１４】  図８は、ネットその他の袋１１５に掛け環１１６と縛り紐１１７を備えたもので、特に、袋１１５を上下に十分長いものにし、掛け環１１６より長くして頭上まで伸びるようにして内部のペットボトルや発泡樹脂、ゴム片などの緩衝物が作用して落下時にも安全であるようにしたものである。
尚、袋１１５の中にはヘルメットを入れておいてもよいが、右図のようにヘルメット１１８を袋１１５の上端に付帯装備しておいて同ヘルメット１１８を被りながら袋１１５を背負うようにしてもよい。図６から図８の縛り紐はベルト式やゴム紐でもよい。【００１５】  図９は、四角なネットその他の袋１２１内に浮力体や必要な用品を入れたもので浮力を発生するものにおいて、その２個所に通し穴１２２を明けておいて図のように通し穴１２２を各腕に通しながら袋１２１を背中に当てるようにして体に装着するようにしたものである。【００１６】  図１０は、その右図のように、四角なネット袋その他の袋１２４の両端あるいは一端にファスナー１２５を備えて浮力体１２６や必要な用品１２７を入れるようにしたものにおいて、その表裏の中央に人の胴回りより少し大きい穴１２８を明けてその回りを縫い部１２９により縫製したもので、左図のように、浮く袋１２４の穴１２８に体を入れて津波などの際に救命用として使用できるようにしたものである。尚、この袋１２４は、外縁回りに把持部１３０を備えるので、この把持部１３０を利用して引っ掛け常備することもできるとともに浮きとして使用する場合にはこの把持部１３０を他の人が掴んで助かることもできるものである。また、コーナーの紐１３１…は、体回りに袋１２４を縛り装着する場合にも利用できる。さらに、左図の仮想線のように、袋１２４を長いものにして複数の穴１２８…を明けておいてより多くの人が救助できるようにしてもよく、この場合、巻物状態にして常備してもよい。また、袋は一方向に長い図示のタイプのほか、四角の広い袋１２４の縦横に穴１２８を配列してもよい。さらに、左図実線の袋１２４を複数離間して互いをワンタッチで離脱可能なように紐などで繋いで構成してもよい。【００１７】  図１１は、一般家庭内、玄関先、道路脇、ガードレール、電柱、通学路脇、学校内等、いたるところに設置可能な方式を示すもので、前記してきた各種方式にもすべて適用可能なものである。すなわち、１３４は吊り掛け具（フック）で、低い位置に打ち込んだ子供用のものもある。これらの吊り掛け具１３４…に吊り紐１３５を引っ掛けてネット袋状その他でなる非常用浮き１３６を吊り掛けるようにする。浮き１３６は、上端にファスナーを備えて中に前記浮力体や必要な用品を入れるようにする。ヘルメット１３７については仮想線のように外部に吊り掛けてもよいし、中に一緒に入れておくようにしてもよい。こうしたヘルメット１３７は、一般的なものが例示されているが、例えば、仮想線で示すように、発泡樹脂やゴムなどにより、頭が入る凹所１３８を中央にえぐったような逆受皿で肉厚状の簡易ヘルメット１３９としてもよい。【００１８】  １４０はヘルメット１３９に止め着けられた顎紐であり、簡易型ヘルメット１３９であると、偏平で浮き１３６内にコンパクトに入れておくことができ、通路側に浮き１３６が大きく張り出さないので、その脇を歩くにも障害にならない利点がある。簡易ヘルメット１３９は、ウレタンフォームで一体成形したり、頭にフィットしやすいテンピュール（商品名）で形成してもよい。このテンピュール素材は、前述および後述のいかなる部材（ネット袋に代わるものとして���あるいは浮力体として）にも適用がある。
また、図１１の左下欄に付記した例は、発泡スチロールで代表される発泡樹脂で頭より少し大き目で頭の上部から後頭部および両側頭部までを裾長状にして被うような芯型１３２を造り、この芯型１３２の内面に布やクッション材１３３を貼り付けるとともに、芯型１３２の外面には、ＦＲＰなどの外殻１４５を付加成形して顎紐を備えて浮力があり衝撃に耐える簡易型ヘルメットＨとしたものである。このヘルメットＨは、他の実施形態でも適用がある。
尚、ヘルメットＨの表面は蛍光色仕上げを施すことがある。【００１９】  また、同図に示すように、浮き１３６は全体的にあるいは一部（縞模様など）に蛍光を施して遠くからでも夜間でも確認しやすくすることができる。さらに、浮き１３６を腹回りに固定するため、図の左列に示すように面ファスナー１４１による脱着ベルト１４２を備えてもよい。また、各浮き１３６の前面には、所有者名の表示札１４３を着けておいてもよい。この表示札１４３は、防水のビニール袋のようなものにしてその上端に密封ファスナーを備えておくことで、その中に携帯電話を入れるようにしてもよい。この携帯入れは、表示札１４３を兼用するものに限定されず、携帯電話入れ専用袋でもよいことは勿論である。さらに、図の右列に別途示すように、吊り掛け方式の他に、面ファスナー１４４により相手の面ファスナーに接着するようにしてもよい。【００２０】  図１２は、巻き付け型の簡易浮き（巻き浮き）１４６についての実施形態で、同浮き１４６は、長いネット袋１４７その他のものの中に、ペットボトル１４８などの浮力体を直列に装填し（入口は一端でも両端でもよい）、その袋端部を縛って縛り紐１４９を取り出すようにしたもので、縛り紐１４９の基部は、例えば、ペットボトル１４８の首回りにくくり付けてもよい。また、縛り紐１４９は、実際に縛ると時間を要することから、図示のように、紐１４９の一方に抜け止め付きのスナップ１５０を付け、他方の紐１４９に複数列のリング１５２…を配備しておけば、ワンタッチで脱着ができる。しかし、ベルトタイプその他のタイプでもよい。【００２１】  尚、ペットボトル１４８は連設すると曲がり難くなるので、その前後間に発泡樹脂やゴムなどの関節球１５３…を介装してもよい。また、浮き１４６には、ヘルメット１５４を付帯させておいてもよい。さらに、浮き１４６には、密閉ファスナー式の貴重品入れ（フロート付き）１５５を折り曲げて入れるようにしてもよい。また、ペットボトル１４８は、キャップ１５６をする際にコルクあるいはゴム栓１５７をして閉めるようにすれば水密性がアップし、発泡樹脂粒１５８…を中に充填しておけば、不測にボトルが切れたりしても浮力を維持できる。この充填には接着剤で粒相互を接着し合うようにすれば、内部樹脂粒が放出されない。【００２２】  こうした簡易浮き１４６は、体への装着方法は自由であるが、その一例として、図１３に示すように、一端を背中から肩上回りにし他端を背中を斜めに通って横腹から前にくるように回し、スナップ１５０を適当なリング１５２に引っ掛けてぎゅっと装着するようにする。仮想線のように他の１つをたすき掛けになるように装着してもよい。浮き１４６は、ネットにすれば立体的によく伸びるので、食料品などを入れることができる。浮き１４６は人間だけでなくペットなどの動物にも使用できる。また、貴重品入れ１５９や食料品入れは、内部を凹状にした嵌め合わせ式の発泡樹脂製のものにして外面をガムテープ１６０で密封するようにしてもよい。こうしたものを浮力体にしてもよい（この場合、内部空間を形成しないこともある）。さらに、貴重品入れ１５９は、その下側に図示するようにカプセル型にしてもよい。こうしたカプセルは、寸法的に大���な大型のものにし、それ自体を１つあるいは複数個で非常用浮力体として使うようにしてもよい。勿論、これには安全紐などを付帯させると有利であり、これらの浮力体を道路脇や避難する山の麓などに多数常備するようにしてもよい。【００２３】  図１４は、合羽１６１の前後にネット袋１６２を複数装備してその中にペットボトル１６３などの浮力体や必要な用品１６４などを入れて合羽自体が浮力を得るようにした実施形態である。【００２４】  図１５は、浮力体である発泡樹脂（発泡スチロールで代表されるもの）１６６の表面を美的処理と紫外線除け作用のある塗料１６７やカバー、あるいはネットで被い、その適所のコーナーなどに通し孔１６８…を明けておいて取付紐１６９などを備え付けるようにしたものである。取付紐１６９は、実線のように上端に渡し架けたり上下に渡し架けるようにして、ガイドレールに付帯装備できるようにしたり、玄関先や道路脇、通学路脇、学校内などに吊り掛けるように常備しておくものとする。塗料１６７は酸化チタン入りとすれば汚濁されにくく、またカバーにあっては熱収縮フィルムを使用すると生産性がよい。ガイドレールに装備するには、仮想線のように上下からの紐１６９により掛け渡すようにしてもよい。
図１５の右欄に示すように、発泡樹脂１６７をそのままガイドレール１７１に掛け止めると前記のように太陽光などの影響を受け易いため、その外殻としてブリキやＦＲＰなどの外装材１６６，１６６をもなか合わせにして対処してもよい。外装材１６６の表には所望の絵などを描いておくとよい。ａは取付部、１６９はガイドレール１７１への引っ掛け手段である。【００２５】  図１６は、その具体的構成例を示すもので、ガイドレール１７１に脱着自在でそれ自体が浮力発生の機能をもつことは共通する浮き１７２…であり、これらの浮き１７２に図１５のような表面施工（蛍光色が好ましい）をすることを前提に、三角形にしたり、表に交通標識を伏したり、あるいは切り抜いて樹木模様や動物模様にしてもよく、また外形を動物などの形状にしてもよい。切り抜いたもの（動物形状）を廃棄せずにそのまま右端のように取り付けるようにしてもよい。これらの浮き１７２は、モニュメント的な効果もあるとともに道路に面するように設置すると自動車が衝突したときの緩衝作用もあり、交通標識としても機能させることもできる。【００２６】  図１７は、浮き１７４をガイドレール１７５に取り付ける方法を示し、浮き１７４を図１５のように紐で取り付けたり、図１７のように浮き１７４から突設したアングルブラケット１７６にロックボルト１７７を備えて止め付けるようにしてもよい。また、図１８のように、浮き１７４の裏面に固定軸１７８を突設しそれに直交し浮き１７４から離れてロックボルト１７９つき固定バー１８０を取り付けて、矢印のように回転させてガイドレール１７５に図右のようにセットするようにすることができる。尚、浮きは裏面の別体の浮きを備えて両者でガイドレールを挟み付けてセットすることもできる。
【図面の簡単な説明】
【００２７】
【図１】  この発明の一実施形態を示す簡易救命浮きの正面図。
【図２】  図１の救命浮きの常備方式を示す斜視図。
【図３】  他の担架兼用浮きを示す正面図。
【図４】  他の担架兼用浮きを示す斜視図。
【図５】  挿入材の他の例を示す斜視図。
【図６】  他の浮きを示す斜視図。
【図７】  図６の浮きを装着した様子を示す斜視図。
【図８】  他の浮きの例を示す斜視図。
【図９】  他の浮きの例を示す斜視図。
【図１０】  他の実施形態を示す斜視図。
【図１１】  他の実施形態を示す設置状態斜視図。
【図１２】  他の実施形態を示す斜視図。
【図１３】  図１２の浮きを装着した様子を示す斜視図。
【図１４】  他の実施形態を示す浮きつき合羽の装着状態を示す斜視図。
【図１５】  発泡樹脂製浮きの基本的例を示す斜視図。
【図１６】  発泡樹脂製浮きをガイドレールに付設した様子を示す正面図。
【図１７】  発泡樹脂製浮きの装着の仕方を示す側断面図。
【図１８】  他の装置例を示す背面図。
【符号の説明】
【００２８】  ６５，８４，１０６，１１５，１２１，１２４…袋  ７１，１０７，１０８，１２６，１６６…浮力体  ８３…挿入材（骨材）  １１１…掛け環  １１２…縛り紐  １１８…ヘルメット  １２２，１２８…通穴  １７１…ガイドレール。
【図１】
2004351198.tif 000003
【図２】
2004351198.tif 000004
【図３】
2004351198.tif 000005
【図４】
2004351198.tif 000006
【図５】
2004351198.tif 000007
【図６】
2004351198.tif 000008
【図７】
2004351198.tif 000009
【図８】
2004351198.tif 000010
【図９】
2004351198.tif 000011
【図１０】
2004351198.tif 000012
【図１１】
2004351198.tif 000013
【図１２】
2004351198.tif 000014
【図１３】
2004351198.tif 000015
【図１４】
2004351198.tif 000016
【図１５】
2004351198.tif 000017
【図１６】
2004351198.tif 000018
【図１７】
2004351198.tif 000019
【図１８】
2004351198.tif 000020